(57)【要約】  【課題】  帯状台紙をフィードローラに圧接する押圧ローラを備えていても、該押圧ローラの接離切り替えを小さな力で容易に行うことができるラベル発行装置を提供することにある。  【解決手段】  帯状台紙に剥離可能に貼着したラベルを、帯状台紙の搬送路上に配置した剥離部で帯状台紙から剥離し、ラベルを発行するラベル発行装置において、前記帯状台紙２をラベル供給部Ａ１から引き出し搬送するフィードローラ６と、前記フィードローラの外周面に帯状台紙を巻き付ける第１ローラ９及び第２ローラ９’と、前記第１ローラ及び第２ローラを支持すると共に、帯状台紙の張力により第１ローラが前記フィードローラから離れる方向に移動すると、第２ローラが前記フィードローラの外周面に対して押圧接するよう揺動する揺動部材１７と、前記揺動部材を揺動可能に軸支し、第１ローラ及び第２ローラを前記フィードローラに対して接近離反を切り替える開閉機構１３を備える。  【選択図】      図２
2008030825.tif 000002
【特許請求の範囲】
【請求項１】
帯状台紙に剥離可能に貼着したラベルを、帯状台紙の搬送路上に配置した剥離部で帯状台紙から剥離し、ラベルを発行するラベル発行装置において、
前記帯状台紙をラベル供給部から引き出し搬送するフィードローラと、
前記フィードローラの外周面に帯状台紙を巻き付ける第１ローラ及び第２ローラと、
前記第１ローラ及び第２ローラを支持すると共に、帯状台紙の張力により第１ローラが前記フィードローラから離れる方向に移動すると、第２ローラが前記フィードローラの外周面に対して押圧接するよう揺動する揺動部材と、
前記揺動部材を揺動可能に軸支し、第１ローラ及び第２ローラを前記フィードローラに対して接近離反を切り替える開閉機構と、
を備えることを特徴とするラベル発行装置。
【請求項２】
前記開閉機構による離反状態では、前記フィードローラの外周面と第１ローラの外周面の間、或いはフィードローラの外周面と第２ローラの外周面の間に、前記帯状台紙の挿入を可能にし、接近状態では帯状台紙を前記フィードローラの外周面に半周以上巻き付けるよう前記第１ローラと第２ローラを位置させることを特徴とする請求項１記載のラベル発行装置。
【請求項３】
前記開閉機構は、第２ローラをフィードローラの外周面に対して押圧接する方向に付勢する付勢手段を前記揺動部材との間に設けたことを特徴とする請求項１又は２記載のラベル発行装置。
【請求項４】
帯状台紙に剥離可能に貼着したラベルを、帯状台紙の搬送路上に配置した剥離部で帯状台紙から剥離し、ラベルを発行するラベル発行装置において、
前記帯状台紙をラベル供給部から引き出し搬送するフィードローラと、
前記フィードローラの外周面に帯状台紙を巻き付ける第１ローラ及び第２ローラと、
前記第１ローラを支持すると共に、第２ローラを前記フィードローラに対して接近離反を切り替える開閉機構と、
前記第２ローラを前記フィードローラの外周面に対して接近離反する開閉機構の切り替える方向に対し、前記第２ローラを前記フィードローラに対して押圧付勢する方向が異なるロック手段と、
を備えることを特徴とするラベル発行装置。
【発明の詳細な説明】
【技術分野】
【０００１】
本発明は食品加工センターや、スーパーマーケットのバックヤード等で使用される、商品に貼付する商品ラベル、ＰＯＰラベル等のラベルを発行するラベル発行装置に関し、更に詳しくは長尺の帯状台紙にラベルが剥離可能に貼着され、帯状台紙の搬送路上で剥離部によって帯状台紙からラベルが剥離され、発行されるラベル発行装置に関する。
【背景技術】
【０００２】
長尺の帯状台紙にラベル用紙が一定の間隔をおいて剥離可能に貼着され、その帯状台紙をロール状に巻いたラベルロールがラベル供給部にセットされ、そのラベル供給部にセットされたラベルロールから帯状台紙を引き出し、印字部で帯状台紙上のラベル用紙に商品情報を印字し、印字部より下流側に配置した剥離部で印字済みラベル用紙（以下、ラベルと言う）を帯状台紙から剥離する。ラベルが剥離された帯状台紙はフィードローラと押圧ローラとの間を通って台紙巻き取り軸に案内され、巻き取られるようになっている（例えば、特許文献１参照）。
【０００３】
そして、上記フィードローラに帯状台紙を押し付ける押圧ローラは、フィードローラの外周面に対して接離切り替え可能に配置され、ラベルロールを交換セットする際は前記押圧ローラをフィードローラの外周面から離間し得るように構成されている。又、ラベル用紙に商品情報を印字し、ラベルを発行する時は、帯状台紙を搬送する為に押圧ローラをフィードローラの外周面に押し付けて該帯状台紙をフィードローラの外周面に押接し、それにより帯状台紙を搬送している。
その為に、前記フィードローラに対する押圧ローラの圧接に強力なバネ部材が使用され、その結果、押圧ローラをフィードローラから離間させるための切り替え操作に強い力が必要となる。
従って、操作性が悪い、という問題があった。特に操作に慣れていない女性のパートタイマーが、ラベルロールの交換などで操作する場合もあり、作業効率に多大な影響があった。
【０００４】
【特許文献１】特許第３０２２３６０号公報
【発明の開示】
【発明が解決しようとする課題】
【０００５】
本発明は上記した従来の技術が有する問題点に鑑みてなされたもので、その課題とするところは、帯状台紙をフィードローラに圧接する押圧ローラを備えていても、該押圧ローラの接離切り替えを小さな力で容易に行うことができるラベル発行装置を提供することにある。
【課題を解決するための手段】
【０００６】
上記課題を解決する為に本発明のラベル発行装置は、帯状台紙に剥離可能に貼着したラベルを、帯状台紙の搬送路上に配置した剥離部で帯状台紙から剥離し、ラベルを発行するラベル発行装置において、前記帯状台紙をラベル供給部から引き出し搬送するフィードローラと、前記フィードローラの外周面に帯状台紙を巻き付ける第１ローラ及び第２ローラと、前記第１ローラ及び第２ローラを支持すると共に、帯状台紙の張力により第１ローラが前記フィードローラから離れる方向に移動すると、第２ローラが前記フィードローラの外周面に対して押圧接するよう揺動する揺動部材と、前記揺動部材を揺動可能に軸支し、第１ローラ及び第２ローラを前記フィードローラに対して接近離反を切り替える開閉機構と、を備えたことを特徴とする（請求項１）。
上記ラベル発行装置は、印字機能を備え、帯状台紙に貼着されたラベル用紙に所定の事項を印字してラベルを剥離、発行するラベルプリンタ、及び予め所定事項を印字したラベルが帯状台紙に剥離可能に貼着され、そのラベルを帯状台紙から剥離して発行するラベル発行装置の両方を含むものである。
【０００７】
そして、上記開閉機構は、離反状態（開状態）では、前記フィードローラの外周面と第１ローラの外周面の間、或いはフィードローラの外周面と第２ローラの外周面の間に、前記帯状台紙の挿入を可能にし、接近状態（閉状態）では、帯状台紙を前記フィードローラの外周面に半周以上巻き付けるよう前記第１ローラと第２ローラを位置させるように構成されている（請求項２）。
【０００８】
又、上記開閉機構に対して揺動可能に軸支する揺動部材は、該揺動部材に支持した第２ローラがフィードローラの外周面に対して押圧接する方向に付勢するよう付勢手段で付勢する（請求項３）
その付勢手段としては、例えばコイルスプリングが一般的で、開閉機構と揺動部材とに亘って装着する。
【０００９】
又、帯状台紙をフィードローラの外周面に対して半周以上巻き付けるのに作用する第１ローラと第２ローラは、その両方が可動する必要はなく、片方のローラ、例えば第２ローラのみが可動するようにしてもよい。
具体的には、一方のローラ（第１ローラ）を開閉機構に定着し、他方のローラ（第２ローラ）は開閉機構に対して移動可能に軸支し、その移動方向は開閉機構の接近／離反の切り替え方向と異なる方向とする（請求項４）。
その構成としては、開閉機構に対して揺動部材を揺動可能に軸支し、その揺動部材に第２ローラを取り付ける形態、或いは開閉機構に直接第２ローラを揺動可能に取り付ける形態など、何れでもよい。
尚、本発明で言う第１ローラ、第２ローラは、帯状台紙の搬送方向に対しフィードローラより上流側を第１ローラ、下流側を第２ローラを意味する。
【００１０】
上記請求項１〜３の手段によれば、帯状台紙が第１ローラとフィードローラの間、及び第２ローラとフィードローラの間を通って台紙巻き取り軸に巻き取られるようにセットされ、そのセットされた帯状台紙の張力が前記第１ローラに作用すると、その張力によって前記第１ローラと第２ローラを支持した揺動部材が揺動し、第１ローラはフィードローラから離反するが、第２ローラはフィードローラに接近し、帯状台紙をフィードローラの外周面に対して押圧接する。それにより、帯状台紙をフィードローラの外周面に押し付ける押圧ローラ（第１ローラ、第２ローラ）の付勢力（バネ力）を従来に比較して弱くできる。その結果、第１ローラ、第２ローラをフィードローラに対して離反させる開閉機構の開操作を小さい力で軽く行うことができる。
そして、帯状台紙はフィードローラの外周面に第１ローラと第２ローラの２個で巻き付けるため、フィードローラと帯状台紙の接触面積を広くでき、接触摩擦による帯状台紙の搬送を強力に行うことができる。
【００１１】
更に、請求項４の手段によれば、第１ローラと第２ローラをフィードローラに対して接近／離反させる開閉機構の切り替え方向と、第２ローラをフィードローラの外周面に対して押圧接するロック手段の付勢方向を、全く異なる方向にすることができる。それにより、開閉機構を閉状態に維持する為に付勢力（バネ力）を強くする必要がなく、その結果、開閉機構を開閉切り替える操作も小さい力で軽く行うことができる。
【発明の効果】
【００１２】
本発明のラベル発行装置は請求項１〜３記載の構成により、帯状台紙の張力を利用してフィードローラの外周面に対する帯状台紙の押圧接力を増加できるので、その分押圧ローラ（第１ローラ、第２ローラ）をフィードローラの外周面に押圧接する付勢力を、従来構造に比べて弱くできる。従って、第１ローラと第２ローラを、フィードローラに対して接近離反を切り替える開閉機構の開閉操作を小さな力で軽く行うことができる。
又、２個のローラにより帯状台紙をフィードローラの外周面に巻き付けるため、フィードローラと帯状台紙の接触面積を広くでき、それによりフィードローラに帯状台紙を押し付ける押圧ローラ（第１ローラ、第２ローラ）の押圧力を強力にする必要がない。よって、開閉機構の開閉操作を小さな力で軽く行うことができる。
【００１３】
又、請求項４記載の構成により、押圧ローラ（第１ローラ、第２ローラ）をフィードローラに対して接近／離反させる開閉機構の切り替え方向と、押圧ローラ（第２ローラ）をフィードローラの外周面に対して押圧接するロック手段の付勢方向を、全く異なる方向にできるので、開閉機構を閉状態に維持する為に付勢力（バネ力）を強くする必要がなく、その結果、開閉機構を開閉切り替える操作も小さい力で軽く行うことができる。しかも、開閉機構の閉じ状態を維持する為のロック部材を別途設ける必要がないため、構成を簡単にできる。
【発明を実施するための最良の形態】
【００１４】
以下、本発明に係るラベル発行装置の実施の一例を図面に基づいて説明する。
図１は、貼付手段を備えたラベル発行装置の概略を示し、そのラベル発行装置Ａは、箱状のケース１内にラベル供給部Ａ１、印字部Ａ２、剥離部Ａ３、台紙巻き取り部Ａ４等を配置し、前記ケース１の側部に取り付けた箱状のケース１’内には、帯状台紙から剥離発行されたラベルを商品Ｗに貼付する貼付手段Ａ５が配置して構成されている。
【００１５】
上記ラベル供給部Ａ１には、長尺の帯状台紙２にラベル用紙３が一定間隔をおいて剥離可能に貼着されロール状に巻かれたラベルロール２’が、ロールセット４で回転可能にセットされている。
そして、このラベル供給部Ａ１から引き出されるラベルロール２’の帯状台紙２は印字部Ａ２に導かれ、該印字部Ａ２においてサーマルプリントヘッド５とプラテン部材６等により商品Ｗの品名、値段、及びバーコードなどの商品データが、帯状台紙２上のラベル用紙３に印字される。その後、ラベルロールは前記印字部Ａ２より下流側に配置された剥離部Ａ３を通過する際に、印字済みのラベル用紙、即ちラベル３’が帯状台紙２から自動的に剥離されてラベル発行口へ移送され、ケース１’内に配置された貼付手段Ａ５でベルトコンベアＢ上を搬送される商品Ｗの上面に貼付される。
又、ラベル３’（印字済みのラベル用紙）が剥離された帯状台紙２は、台紙巻き取り部Ａ４へ導かれて台紙巻き取り軸7に巻き取られる。
【００１６】
上記ラベル供給部Ａ１にセットされたラベルロール２’の帯状台紙２を引き出して、印字部Ａ２に導入するフィード手段Ａ６は、フィードローラ８と、そのフィードローラ８の外周面に帯状台紙２を巻き付ける第１ローラ９及び第２ローラ９’とで構成され、前記フィードローラ８はケース１内に設置固定した取付枠１０に支持され、モータ（図示省略）によって駆動回転し、第１ローラ９及び第２ローラ９’は帯状台紙２をフィードローラ８の略半周分宛に巻き付けるのに作用する。そして、前記第１ローラ９及び第２ローラ９’は、フィードローラ８に対して接離切り替え可能に配置され、その接離切り替えは、印字部Ａ２を構成するサーマルプリントヘッド５に対するプラテン部材６の接離切り替えを操作する開閉機構１３によって同時に行われるように構成されている。
【００１７】
印字部Ａ２は、サーマルプリントヘッド５と、そのサーマルプリントヘッド５と対向して配置したプラテン部材６とで構成し、前記フィード手段Ａ６のフィードローラ８の駆動回転で引き出されるラベルロール２’の帯状台紙２に貼付されたラベル用紙３に所要の商品データが印字される。その印字は、シフトレジスタから供給される１ドットライン分のデータを、１ドットラインずつ帯状台紙２（ラベル用紙３）をフィード手段Ａ６のフィードローラ８で移動させて印字する。ラベルロールから帯状台紙を引き出して搬送するフィードローラ８は、ステッピングモータで駆動され、更に台紙巻き取り部Ａ４の台紙巻き取り軸７の駆動回転も前記ステッピングモータが共通して使用されている。
【００１８】
印字部Ａ２のサーマルプリントヘッド５は、ヘッドの形状がフラットタイプのもので、図示を省略したケース１内の固定部材に支持されている。尚、図示のサーマルプリントヘッド５は、該ヘッドの端部（帯状台紙の搬送方向前端）から数ミリメートル（例えば、３ｍｍ）後方位置にヒータラインが設けられたフラットタイプのヘッドであるが、ヒータラインがサーマルプリントヘッドの端部（ニアエッジ）に設けられているようなタイプのものでもよく、そのようなタイプのヘッドを使用することで、ラベル３’の空白の印字領域をより少なくすることができる。
【００１９】
前記サーマルプリントヘッド５と対向して配置されるプラテン部材６は、平面視矩形状をなした金属製平板の一側部（帯状台紙２の搬送方向前側）を上向きに屈曲傾斜し、その傾斜部の先端に山形の凸部１１が屈曲形成され、更にその凸部１１より前方に突出する先端側は上向きに傾斜させて剥離部Ａ３が同一体に形成されている。そして、このプラテン部材６の前記サーマルプリントヘッド５と対面する位置に、負荷が作用することで弾性変形する弾性部材１２、及びその弾性部材１２の上面に帯状台紙２の摺動抵抗を低減させる部材等が積層されて着脱可能に取り付けられている。そして、このプラテン部材６は開閉機構１３に取り付けられ、該開閉機構１３の操作によりサーマルプリントヘッド５に対して接近／離反が切り替えられるようになっている。尚、前記凸部１１の中心から剥離部Ａ３までの距離は従来構造（プラテン部材としてローラが用いられた構造）に比較して半分以下（例えば、５ｍｍ）とする。
【００２０】
前記凸部１１は、前記サーマルプリントヘッド５のヒータライン５ａと対応する位置に、該プラテン部材６の幅方向に沿って直線状に形成されている。この凸部１１によりサーマルプリントヘッド５とプラテン部材６との間を搬送される帯状台紙２上のラベル用紙３をサーマルプリントヘッド５のヒータラインに対して確実に圧接することができ、少ない圧力で確実に印字を可能にする。尚、凸部１１の形状は、頂点が線上に現出する形態に限らず、帯状台紙２の搬送方向に沿ってある幅を有する台形状であってもよい。
【００２１】
剥離部Ａ３は、平板を屈曲して形成した前記凸部１１より前方で且つ凸部１１の頂点より上方に突出させて形成され、印字済みのラベル用紙が貼着された帯状台紙２が剥離部Ａ３でプラテン部材６の下側に折り返されることで、帯状台紙２とラベル３’（印字済みのラベル用紙）が分離され、ラベル３’は貼付手段側に移送され、帯状台紙２は台紙巻き取り部Ａ４へ導かれて台紙巻き取り軸7に巻き取られる。
【００２２】
上記弾性部材１２には、負荷が作用することで弾性変形するスポンジ状部材、或はゴム部材を使用し、帯状台紙２に貼付されたラベル用紙３をサーマルプリントヘッド５のヒータラインに対して弾性的に圧接する。
この弾性部材１２はその上面（帯状台紙２が摺動案内される面）が帯状台紙２の摺動に抵抗となる場合は、弾性部材１２の上面に帯状台紙２の摺動抵抗を低減させる部材を積層する。
摺動抵抗を低減させる部材としては、超高分子量ポリエチレン（ＵＨＭＷ）からなる板状部材を使用する。尚、この部材としては、超高分子量ポリエチレン（ＵＨＭＷ）に限らず、通常の高分子量ポリエチレンからなる板状部材、或はテフロン（登録商標）やシリコン系などの材質でもよい。
【００２３】
上記プラテン部材６を支持する開閉機構１３は、金属製平板で正面視略Ｌ字型に形成した前後揺動アーム１４ａ，１４ｂと、その前後揺動アーム１４ａ，１４ｂの後半部に両アームを所定間隔に連結する連結部１４ｃが一体に形成された台枠１４と、前記前後揺動アーム１４ａ，１４ｂの前半部間に架設したプラテン部材取付台１５とで構成され、台枠１４の中程位置がケース１内の固定部材にピン１６で上下揺動可能に軸支されている。
【００２４】
前記開閉機構１３に対するフィード手段Ａ６の第１ローラ９及び第２ローラ９’の取り付けは、開閉機構１３を構成する台枠１４の後部内側に、門形に構成した揺動部材１７が軸１８で揺動可能に軸支され、その揺動部材１７に第１ローラ９と第２ローラ９’が回転可能、且つ両ローラ９，９’間にフィードローラ８が嵌入するだけの間隔をおいて平行に軸支されている。
そして、前記第１ローラ９と第２ローラ９’は、フィードローラ８の外周面に巻き付けられる帯状台紙２を該フィードローラの外周面の約半周以上に亘って巻き付けるように作用する。
また、揺動部材１７は、第１ローラ９及び第２ローラ９’とフィードローラ８の間に通した帯状台紙２の張力により第１ローラ９が前記フィードローラ８から離れる方向に移動すると、第２ローラ９’が前記フィードローラ８の外周面に対して押圧接する方向に揺動するように前記軸１８で支持されている。
【００２５】
更に、前記開閉機構１３の前後揺動アーム１４ａ，１４ｂと、その前後揺動アーム１４ａ，１４ｂと対応する揺動部材１７の前後壁には、コイルスプリング（付勢手段）１９を弾圧装着するための溝２０、２１が切欠き形成され、両溝２０，２１間にコイルスプリング（付勢手段）１９が弾圧装着されている。そして、このコイルスプリング１９は、揺動部材１７に支持された第２ローラ９’を、フィードローラ８の外周面に対した押圧接する方向に付勢する。
【００２６】
又、前記前後揺動アーム１４ａ，１４ｂには、前記揺動部材１７に取り付けられた第２ローラ９’の支軸を、フィードローラ８の軸芯より下方で且つ該フィードローラの外周面と接近する方向に誘導する案内円弧孔２２が切欠き形成されている。
更に、前記揺動部材１７における上辺の端部には、該揺動部材１７を軸１８を中心として上下揺動する操作片２３が略直角に折り曲げ形成され、その操作片２３の上面が前記台枠１４の連結部１４ｃに当接することにより、揺動部材１７を介して開閉機構１３を開放状態に切り替えられるように構成されている。
前記フィードローラ８を軸支する取付枠１０には、該フィードローラ８より上流側に位置させてストッパ杆２４が架設され、これによれ開放状態の開閉機構１３を閉じ方向に回動した時、所定の位置（サーマルプリントヘッド５とプラテン部材における凸部との位置関係）で回動（閉動）が規制されるように構成されている。尚、開閉機構１３の台枠１４における前後揺動アーム１４ａ，１４ｂには、前記ストッパ杆２４に嵌着係合する係合凹部２５が切欠き形成されている。
【００２７】
次に、上記フィード手段Ａ６におけるフィードローラ８に対する帯状台紙２の巻き付け、開放の動作を図５に基づいて説明する。
先ず、図１に示すように、ラベルロール２’からき出した帯状台紙２は印字部Ａ２、剥離部Ａ３を通り、フィード手段Ａ６のフィードローラ８と第１ローラ９及び第２ローラ９’の間を通って台紙巻き取り部Ａ４に案内され、前記フィードローラ８及び台紙巻き取り部Ａ４の台紙巻き取り軸７の回転により、帯状台紙２は引き出し搬送される。このラベルを印字発行する時、開閉機構１３は閉じられ、帯状台紙２をフィードローラ８の外周面に巻きつける第１ローラ９と第２ローラ９’は、揺動部材１７とコイルスプリング（付勢手段）１９によって第２ローラ９’における開閉機構１３の開放方向である略垂直方向に対して第２ローラ９’がフィードローラ８に当たることで図５（ａ）に示す閉じ状態を維持する。
即ち、開閉機構１３が閉じられ、上記帯状台紙２の張力が第１ローラ９に作用すると、その張力によって揺動部材１７が軸１８を中心として時計回り方向に回動され、第１ローラ９はフィードローラ８から離れ、第２ローラ９’はフィードローラ８の外周面に対して押圧接する方向に移動する。そして、この揺動に対し更に開閉機構１３と揺動部材１７との間に介在したコイルスプリング（付勢手段）１９の弾発力が作用し、帯状台紙２はフィードローラ８の外周面に半周以上巻き付けられる。これにより、フィードローラ８と帯状台紙２との接触摩擦が増大し、帯状台紙２を安定して搬送することができる。
【００２８】
上記帯状台紙２のセット状態を解除する時は、図５（ｂ）に示すように、揺動部材１７の操作片２３の下面に指を当て、軸１８を中心として鉛直方向に持ち上げる。この揺動部材１７の持ち上げは、開閉機構１３と揺動部材１７との間に弾圧装着したコイルスプリング（付勢手段）１９を圧縮する。この揺動部材１７の揺動により、第２ローラ９’は開閉機構１３の前後揺動アーム１４ａ，１４ｂに形成された案内円弧孔２２にそってフィードローラ８の外周面から離反する方向に移動される。
【００２９】
そして、前記揺動部材１７の持ち上げを続行すると、操作片２３が開閉機構１３の連結部１４ｃに当接し、揺動部材１７の持ち上げを更に続けると、その力によって開閉機構１３はピン１６を中心として回動し、揺動部材１７が係着する側と反対側のプラテン部材６側はサーマルプリントヘッド５から離れる方向に回動する。開閉機構１３を開放した後、前記揺動部材１７の持ち上げを止めると、図５（ｃ）に示すように、該揺動部材１７はコイルスプリング（付勢手段）１９の弾発力で下方に揺動され、操作片２３は連結部１４ｃから離れ、第１ローラ９及び第２ローラ９’もフィードローラ８に対する帯状台紙２の巻き付けを開放し、帯状台紙２の取り外しを容易に行うことができる状態となる。
【００３０】
上記した実施例は、帯状台紙２をフィードローラ８の外周面に巻き付ける第１ローラ９と第２ローラ９’は揺動部材１７に取り付けたが、少なくとも片方のローラ（第２ローラ）のみを揺動部材に取り付け、他方のローラ（第１ローラ）は開閉機構１３に取り付けてもよい。以下、その構成を図６に基づいて簡単に説明する。尚、前示実施例で示した部材と同じ部材は同一の符号を付し、説明は省略する。
その構成は、開閉機構１３を構成する台枠１４の前後揺動アーム１４ａ，１４ｂに亘り、フィードローラ８より上流側に位置させて第１ローラ９を回転可能に横架支持し、フィードローラ８より下流側に配置する第２ローラ９’は、開閉機構１３に対し軸１８で揺動可能に軸支した揺動部材２６に取り付けられている。
【００３１】
上記揺動部材２６は、前示実施例における揺動部材１７の第１ローラ９を支持する部分をカットした形態のもので、前示実施例と同様、開閉機構１３と揺動部材２６とに亘って装着したコイルスプリング（付勢手段）１９で第２ローラ９’をフィードローラ８の外周面に対して押圧接する方向に付勢され、更に該第２ローラ９’の軸は開閉機構１３の前後揺動アーム１４ａ，１４ｂに開設した案内円弧孔２２に嵌合されている。
この第２ローラ９’を前記フィードローラ８に対して押圧接する方向に案内する案内円弧孔２２の方向は、前記第２ローラ９’をフィードローラ８の外周面に対して接近／離反させる開閉機構１３の切り替え方向（開閉方向）と異なる方向（直交に近い方向）に形成され、ロック手段２７を構成している。即ち、開閉機構13の切り替え方向は略鉛直方向であるのに対し、第２ローラ９’をフィードローラ８に対し押圧付勢する方向は前記鉛直方向に対して斜めに交差する方向である。
【００３２】
上記構成により、帯状台紙２をセットし、開閉機構１３を閉じた状態では、図６（ａ）に示すように、該開閉機構１３に軸支した揺動部材２６がコイルスプリング（付勢手段）１９の弾発力及び案内円弧孔２２の作用で第２ローラ９’はフィードローラ８の外周面に押圧接する方向に移動付勢され、開閉機構１３に支持した第１ローラ９とにより帯状台紙２をフィードローラ８の外周面に半周以上巻き付けるように作用する。
【００３３】
閉じられた開閉機構１３を開放する時は、図６（ｂ）に示すように、揺動部材２６の操作片２７に指を当てて上方に持ち上げると、前示実施例と同様、前記操作片２７が開閉機構１３の連結部１４ｃに当接して該開閉機構１３を開方向に回動することができる。尚、揺動部材２６をコイルスプリング（付勢手段）１９の弾発力に抗して上方に持ち上げ、操作片２７が開閉機構１３の連結部１４ｃに当接する時点では、第２ローラ９’がフィードローラ８の外周面から離反し、帯状台紙２の押圧接が解除されるため、フィード手段Ａ６部分において帯状台紙２を外すことは可能となる。
【００３４】
上記した第２実施例では、第２ローラ９’をフィードローラ８の外周面から離反させる際、第１ローラ９は前記した第１実施例のように第２ローラ９’の移動に連動しない為、該第１ローラ９をフィードローラ８に当たらないように離しておく必要がなく、その為に第１ローラ９をフィードローラ８に対して接近した位置に配置でき、帯状台紙２をフィードローラ８の外周面に対してより多く巻き付けることができる。
【００３５】
本発明のラベル発行装置は図示した実施例に限定されず、本発明の要旨を変更しない範囲で変更可能である。
（１）揺動部材の付勢手段としてコイルスプリングを示したが、板バネなどでもよい。
（２）第４発明の実施例（図６参照）では、可動する第２ローラ（下流側のローラ）は開閉機構に対し揺動可能に軸支した揺動部材に取り付けたが、揺動部材を使用せず、開閉機構に第２ローラを直接移動可能に軸支してもよい。
（３）図示のラベル発行装置は、自動ラベル貼付装置を装備したものであるが、自動ラベル貼付装置を装備しないタイプ、或いは包装機と組み合わせて配置するなどいずれでもよい。
【図面の簡単な説明】
【００３６】
【図１】本発明に係るラベル発行装置の実施の一例を示す概略図。
【図２】要部を拡大して示す一部切欠正面図。
【図３】同分解斜視図。
【図４】揺動部材の付勢構造を示す拡大断面図。
【図５】（ａ）〜（ｃ）はフィードローラに対する第１ローラと第２ローラの接近／離反の切り替え操作を示す説明図。
【図６】第１ローラ及び第２ローラの支持に関する他の実施例を示す説明図で、（ａ）は第２ローラがフィードローラに押圧接されている閉じ状態、（ｂ）は第２ローラをフィードローラから離反させた状態。
【符号の説明】
【００３７】
Ａ…ラベル発行装置                    Ａ１…ラベル供給部
Ａ２…印字部                            Ａ３…剥離部
Ａ４…台紙巻き取り部                    Ａ６…フィード手段
２…帯状台紙                            ８…フィードローラ
９…第１ローラ                        ９’…第２ローラ
１３…開閉機構                    １７、２６…揺動部材
１９…コイルスプリング（付勢手段）      ２２…案内円弧孔（ロック手段）
【図１】
2008030825.tif 000003
【図２】
2008030825.tif 000004
【図３】
2008030825.tif 000005
【図４】
2008030825.tif 000006
【図５】
2008030825.tif 000007
【図６】
2008030825.tif 000008